(57)【要約】【課題】作業用足場台付エスカレータにおいて、作業用足場台の設置作業および作業用足場台を使用する作業を一人で行えるようにするとともに、作業用足場台が踏段板に対しずれるのをより有効に防止することである。【解決手段】エスカレータ１１に設ける２個の踏段板１２のそれぞれに、開口部３４を設ける。２個の踏段板１２のそれぞれにおいて、開口部３４の下側に、箱形の収納部を固定する。収納部に脚部固定部３８を支持ピンにより揺動可能に結合する。脚部固定部３８のそれぞれに、段違い足場台２６を構成する２本の脚立部材１４ａ、１４ｂの下部を、ボルト５２およびナットにより取り外し可能に結合する。【選択図】図１
2008174377.tif 000002
【特許請求の範囲】
【請求項１】
踏段板を有するエスカレータに作業用足場台を取り外し可能に結合している作業用足場台付エスカレータであって、
踏段板に設けられた開口部と、
踏段板において、開口部の下側に固定された踏段板下側固定部と、
踏段板下側固定部に結合された脚部固定部と、を備え、
脚部固定部に脚立部の下部を取り外し可能に結合していることを特徴とする作業用足場台付エスカレータ。
【請求項２】
請求項１に記載の作業用足場台付エスカレータにおいて、
踏段板下側固定部は、脚部固定部を収納する収納部であり、
エスカレータから作業用足場台を取り外した状態で、収納部の上部開口を、踏段板構成カバーにより閉塞可能としていることを特徴とする作業用足場台付エスカレータ。
【請求項３】
請求項１または請求項２に記載の作業用足場台付エスカレータにおいて、
作業用足場台は、２本の脚立部の頂部を連結部により連結しており、
２本の脚立部は互いに長さが異なり、２本の脚立部のうち、少なくとも一方の脚立部に、人が昇降するための踏み桟を設けていることを特徴とする作業用足場台付エスカレータ。
【請求項４】
請求項１から請求項３のいずれか１に記載の作業用足場台付エスカレータにおいて、
踏段板下側固定部を構成する壁板部に支持したピンに脚部固定部を、ピンを中心とする揺動可能に支持していることを特徴とする作業用足場台付エスカレータ。
【請求項５】
請求項１から請求項４のいずれか１に記載の作業用足場台付エスカレータにおいて、
脚部固定部は複数のスライド要素により構成し、
少なくとも１個のスライド要素に別のスライド要素を、１個のスライド要素に対する摺動可能に支持することにより、脚部固定部の全長を伸縮可能としていることを特徴とする作業用足場台付エスカレータ。
【請求項６】
請求項５に記載の作業用足場台付エスカレータにおいて、
脚部固定部を構成する少なくとも１個のスライド要素に長さ調節用の複数の第１調節用孔を形成するとともに、別のスライド要素に第２調節用孔を形成しており、
第１調節用孔および第２調節用孔に係合部材を挿通した状態で、第１調節用孔および第２調節用孔から係合部材が抜け出るのを阻止していることを特徴とする作業用足場台付エスカレータ。
【発明の詳細な説明】
【技術分野】
【０００１】
本発明は、踏段板を有するエスカレータに作業用足場台を取り外し可能に結合している作業用足場台付エスカレータに関する。
【背景技術】
【０００２】
従来から、エスカレータの踏段部に作業用足場台を設置することが考えられている。作業用足場台は、エスカレータの天井部の照明設備等を保守点検するために、エスカレータの踏段部に設置した状態で作業者が利用する。
【０００３】
例えば、図７は、特許文献１に記載されたエスカレータに設置する作業用足場台を示す斜視図である。図７に示す作業用足場台である、段違い脚立１０は、エスカレータ１１の踏段部を構成する２個の踏段板１２上に設置し、作業者が段違い脚立１０に乗ることにより、天井部の照明設備等を保守点検できるようにしている。段違い脚立１０は、２個の脚立部材１４ａ、１４ｂを備える。２個の脚立部材１４ａ、１４ｂは、互いに長さが異なり、２個の脚立部材１４ａ、１４ｂのそれぞれに人が昇降するための複数の踏み桟１６を設けている。２個の脚立部材１４ａ、１４ｂの頂部は、連結棒１８により連結している。また、２個の脚立部材１４ａ、１４ｂの脚部を、脚部固定手段２０により２個の踏段板１２に固定している。
【０００４】
脚部固定手段２０は、段違い脚立１０の脚部を挿入し固定する脚固定部２２と、下面に踏段板１２上面の凹部と嵌合する凸部（図示せず）を有する固定板２４とから構成している。固定板２４の下面に設けたＴ字溝（図示せず）に移動板（図示せず）を配設し、図示しない移動レバーにより移動板を固定板２４に対し移動させることにより、固定板２４の凸部の側面と踏段板１２の凹部の側面とを接触可能としている。これにより、固定板２４は、踏段板１２に対して固定され、固定板２４が踏段板１２上で動かなくなる。すなわち、固定板２４を踏段板１２に固定する場合には、固定板２４の凸部と移動板の凸部とを踏段板１２の凹部の両側面に当接させ互いに反対方向に押圧することにより、固定板２４と移動板とを踏段板１２上に固定する。
【０００５】
【特許文献１】特開平８−１４３２６０号公報
【発明の開示】
【発明が解決しようとする課題】
【０００６】
上記の特許文献１に記載された作業用足場台である段違い脚立１０をエスカレータ１１上に設置する場合、踏段板１２の凹部と固定板２４および移動板の凸部との間で発生する摩擦力により、固定板２４を踏段板１２に固定して、段違い脚立１０を踏段板１２に固定している。このため、踏段板１２にごみ等の異物や油分が付着している場合には、踏段板１２の凹部と固定板２４および移動板の凸部との間に異物や油分が入り込むことにより、凹部と凸部との間での摩擦力を十分に確保できず、踏段板１２に対し固定板２４がずれて、段違い脚立１０が不安定になるのを有効に防止できない可能性がある。
【０００７】
例えば、天井部の照明設備等の保守点検を行う際に、作業者が段違い脚立１０の上で、作業中にバランスを崩し、段違い脚立１０の固定板２４に、踏段板１２に対し固定板２４をずらせるような大きな力が加わった場合には、段違い脚立１０の脚部が踏段板１２上でずれるのを有効に防止することが難しくなる。これに対して、凹部と凸部との間での摩擦力を十分に大きくするために、凹部と凸部とでの接触面積を大きくするとともに、摩擦力を大きくするために凸部を凹部に大きな力で押し付けるための押圧機構を、固定板２４部分に設けることも考えられる。ただし、この場合には、移動板および固定板２４が大きくなり、段違い脚立１０を設置するための運搬作業を一人で行えなくなる可能性がある。
【０００８】
また、段違い脚立１０が踏段板１２上でずれる可能性を考慮して、段違い脚立１０上で作業する作業者とは別の補助者が段違い脚立１０を下から支えるようにすることも考えられるが、この場合には別の補助者が必要になり、保守点検に要するコストが上昇する可能性がある。
【０００９】
本発明の目的は、作業用足場台付エスカレータにおいて、作業用足場台の設置作業および作業用足場台を使用する作業を一人で行えるようにするとともに、作業用足場台が踏段板に対しずれるのをより有効に防止することを目的とする。
【課題を解決するための手段】
【００１０】
本発明に係る作業用足場台付エスカレータは、踏段板を有するエスカレータに作業用足場台を取り外し可能に結合している作業用足場台付エスカレータであって、踏段板に設けられた開口部と、踏段板において、開口部の下側に固定された踏段板下側固定部と、踏段板下側固定部に結合された脚部固定部と、を備え、脚部固定部に脚立部の下部を取り外し可能に結合していることを特徴とする作業用足場台付エスカレータである。
【００１１】
また、好ましくは、踏段板下側固定部は、脚部固定部を収納する収納部であり、エスカレータから作業用足場台を取り外した状態で、収納部の上部開口を、踏段板構成カバーにより閉塞可能とする。
【００１２】
また、より好ましくは、作業用足場台は、２本の脚立部の頂部を連結部により連結し、２本の脚立部は互いに長さが異なり、２本の脚立部のうち、少なくとも一方の脚立部に、人が昇降するための踏み桟を設ける。
【００１３】
また、より好ましくは、踏段板下側固定部を構成する壁板部に支持したピンに脚部固定部を、ピンを中心とする揺動可能に支持する。
【００１４】
また、より好ましくは、脚部固定部は複数のスライド要素により構成し、少なくとも１個のスライド要素に別のスライド要素を、１個のスライド要素に対する摺動可能に支持することにより、脚部固定部の全長を伸縮可能とする。
【００１５】
また、より好ましくは、脚部固定部を構成する少なくとも１個のスライド要素に長さ調節用の複数の第１調節用孔を形成するとともに、別のスライド要素に第２調節用孔を形成し、第１調節用孔および第２調節用孔に係合部材を挿通し、第１調節用孔および第２調節用孔から係合部材が抜け出るのを阻止する。
【発明の効果】
【００１６】
本発明に係る作業用足場台付エスカレータによれば、作業用足場台をエスカレータから取り外した状態で、作業用足場台を設置する場合に、踏段板下側固定部に予め結合した脚部固定部に脚立部の下部をボルト等により結合すればよく、作業用足場台の設置作業を行う毎に踏段板に脚部固定部を結合する必要がない。また、脚部固定部は開口部の下側に位置するため、脚部固定部を踏段板に対し取り外し容易となるように結合する必要がない。このため、脚部固定部は、踏段板下側固定部に対し、取り外しを容易とするための摩擦力を使用する結合構造ではなく、十分な結合強度を持つ結合構造で結合できる。このため、作業用足場台上で作業者が作業する際に、作業用足場台を下から補助者が支える必要がなく、しかも、作業用足場台が踏段板に対しずれるのをより有効に防止できる。また、特許文献１に記載された段違い脚立をエスカレータに設置する場合と異なり、作業用足場台と踏段板との結合強度に、踏段板に付着したごみ等の異物や油分による結合部分の摩擦力の低下が影響を与えることがない。この結果、作業用足場台を使用する作業を一人で容易に行えるとともに、作業時の安全をより有効に確保できる。
【００１７】
また、本発明に係る作業用足場台付エスカレータによれば、上記の特許文献１に記載された段違い脚立をエスカレータに設置する場合と異なり、作業用足場台を踏段板に結合する際の大きな結合強度を得るために、大きな摩擦力を得るための押圧機構や大きい固定板および移動板を使用する必要がなく、作業用足場台の運搬および設置作業を一人で容易に行える。
【００１８】
また、踏段板下側固定部は、脚部固定部を収納する収納部であり、エスカレータから作業用足場台を取り外した状態で、収納部の上部開口を、踏段板構成カバーにより閉塞可能とする構成によれば、エスカレータの乗員が踏段板構成カバーに乗ることができ、エスカレータの通常の使用が、脚部固定部により妨げられることがない。
【００１９】
また、作業用足場台は、２本の脚立部の頂部を連結部により連結し、２本の脚立部は互いに長さが異なり、２本の脚立部のうち、少なくとも一方の脚立部に、人が昇降するための踏み桟を設ける構成によれば、エスカレータの踏段板が段違いとなるのにもかかわらず、作業者が作業用足場台上にバランスよく乗ることを容易に行え、より安定して作業を行える。
【００２０】
また、踏段板下側固定部を構成する壁板部に支持したピンに脚部固定部を、ピンを中心とする揺動可能に支持する構成によれば、脚部固定部に作業用足場台を結合する場合に、脚部固定部を、ピンを中心として揺動させることにより、脚部固定部の向きを、脚部固定部に脚立部を結合しやすいように容易に変えることができる。このため、作業用足場台をエスカレータにより容易に結合できる。また、作業用足場台をエスカレータから取り外した状態で、脚部固定部を、ピンを中心として揺動させることにより、脚部固定部を開口部よりも下側に退避させることができる一方、作業用足場台をエスカレータに結合する場合には、脚部固定部を揺動させ、開口部の上側に突出させることにより、作業用足場台を脚部固定部に結合しやすくできる。
【００２１】
また、脚部固定部は複数のスライド要素により構成し、少なくとも１個のスライド要素に別のスライド要素を、１個のスライド要素に対する摺動可能に支持することにより、脚部固定部の全長を伸縮可能とする構成によれば、エスカレータの通常の使用状態で、収納部に脚部固定部を収納できるようにし、しかも、エスカレータに作業用足場台を結合する場合には、脚部固定部の全長を大きくできるので、作業用足場台の脚立部の長さを短くできる。このため、作業用足場台の運搬作業をより容易に行える。
【００２２】
また、脚部固定部を構成する少なくとも１個のスライド要素に長さ調節用の複数の第１調節用孔を形成するとともに、別のスライド要素に第２調節用孔を形成し、第１調節用孔および第２調節用孔に係合部材を挿通した状態で、第１調節用孔および第２調節用孔から係合部材が抜け出るのを阻止する構成によれば、係合部材を挿入する第１調節用孔の位置を変えることにより、脚部固定部の全長が調節可能となる。このため、作業用足場台の脚立部の長さを変えることなく、作業者の作業時の高さ位置を天井部の高さ等に応じて容易に変えることができ、作業用足場台上での作業を行いやすくできる。また、作業用足場台の脚立部の頂部同士を作業台により連結する場合でも、作業台の上面を水平にすることを行いやすくなる。
【発明を実施するための最良の形態】
【００２３】
［第１の発明の実施の形態］
以下において、図面を用いて本発明に係る実施の形態につき詳細に説明する。図１から図５は、本発明の第１の実施の形態の作業用足場台付エスカレータを示している。図１は、作業用足場台付エスカレータの部分斜視図である。図１に示すように、作業用足場台付エスカレータは、複数の踏段板１２を有するエスカレータ１１に、作業用足場台である段違い足場台２６を取り外し可能に結合して構成している。複数の踏段板１２のそれぞれの片側（図１の右側）にクリートライザ２８を設けている。
【００２４】
段違い足場台２６は、２本の脚立部である脚立部材１４ａ、１４ｂの頂部を連結部３０により連結している。例えば、連結部３０は、２本の脚立部材１４ａ、１４ｂのそれぞれの頂部に設けた孔に挿通した連結ピンとする。２本の脚立部材１４ａ、１４ｂは、互いに長さが異なり、長い方の脚立部材１４ａの下部を下側の踏段板１２に、短い方の脚立部材１４ｂの下部を上側の踏段板１２に、それぞれ結合している。２本の脚立部材１４ａ、１４ｂのそれぞれに人が昇降するための１個以上の踏み桟１６を設けている。踏み桟１６は、２本の脚立部材１４ａ、１４ｂの一方のみに設けることもできる。また、長い方の脚立部材１４ａを構成する２本の脚部の上部は、連結フレーム３２により連結している。
【００２５】
また、エスカレータ１１において、２本の脚立部材１４ａ、１４ｂのそれぞれの下部を結合する２個の踏段板１２に、それぞれ幅方向（図２の斜め上下方向）両側に分かれた２個ずつの開口部３４を設けている。そして、開口部３４を設けた２個の踏段板１２のそれぞれにおいて、開口部３４の下側に、図２から図５に示すように、踏段板下側固定部である収納部３６を固定している。
【００２６】
図２から図５は、踏段板１２と収納部３６と後述する脚部固定部３８とを、段違い足場台２６（図１）を取り外した状態で示す断面図である。図２に示すように、収納部３６は、上端が開口した箱形としている。収納部３６は、断面矩形状の筒状壁部と、筒状壁部の下端を塞ぐ底板部とを備える。また、筒状壁部を構成し、互いに対向する２個の壁板部４０（図５参照）に、支持ピン４２を水平方向に支持している。そして、支持ピン４２に対し支持ピン４２を中心とする揺動を可能に、脚部固定部３８を支持している。
【００２７】
脚部固定部３８は、図２に示すように、複数のスライド要素である、基端側スライド要素４４と、先端側スライド要素４６とを備える。基端側スライド要素４４は、基端部（図２の下端）に支持ピン４２を挿通する支持孔を有し、先端側部分（図２の上端側部分）に、図５に示すような断面矩形状の外側筒部４８を有する。また、先端側スライド要素４６は、図５に示すような断面矩形状の内側筒部５０を有する。
【００２８】
基端側スライド要素４４の外側筒部４８の内側に、先端側スライド要素４６の内側筒部５０を嵌合し、外側筒部４８に対し内側筒部５０を長さ方向（図２の上下方向、図３、図４の左右方向、図５の表裏方向）に摺動可能としている。すなわち、基端側スライド要素４４に先端側スライド要素４６を、基端側スライド要素４４に対する摺動可能に支持している。これにより、脚部固定部３８の全長が伸縮可能となる。
【００２９】
また、図２に示すように、先端側スライド要素４６の内側筒部５０を構成し、互いに対向する２個の壁板部に、係合部材であるボルト５２を挿通するための長さ調節用の３個ずつの第１調節用孔５４を形成している。また、基端側スライド要素４４の外側筒部４８を構成し、互いに対向する２個の壁板部に、ボルト５２を挿通するための１個ずつの第２調節用孔５６を形成している。
【００３０】
そして、先端側スライド要素４６の壁板部に３個ずつ形成した第１調節用孔５４のうち、いずれか１個ずつの第１調節用孔５４と、基端側スライド要素４４の壁板部に１個ずつ形成した第２調節用孔５６とにボルト５２を挿通した状態で、ボルト５２の先端部（図４の上端部）にナット５８（図４、図５）を結合することにより、第１調節用孔５４および第２調節用孔５６からボルト５２が抜け出るのを阻止している。これにより、脚部固定部３８の全長が調節可能となる。
【００３１】
例えば、図２に示すように、脚部固定部３８の全長を大きくする場合には、先端側スライド要素４６の壁板部に３個ずつ形成した第１調節用孔５４のうち、支持ピン４２側（図２の下側、図３、図４の右側）の第１調節用孔５４と、第２調節用孔５６とにボルト５２を挿通する。また、図３、図４に示すように、脚部固定部３８の全長を小さくする場合には、壁板部に３個ずつ形成した第１調節用孔５４のうち、先端側スライド要素４６の引き出し方向側（図２の上側、図３、図４の左側）の第１調節用孔５４と、第２調節用孔５６とにボルト５２を挿通する。また、脚部固定部３８の全長を中間の長さとする場合には、壁板部に３個ずつ形成した第１調節用孔５４のうち、中間の第１調節用孔５４と、第２調節用孔５６とにボルト５２を挿通する。
【００３２】
なお、図２は、脚部固定部３８に段違い足場台２６（図１参照）を結合する際に、脚部固定部３８を、支持ピン４２を中心に上方に向くように揺動させて、先端側スライド要素４６を基端側スライド要素４４に対し引き出した状態を示している。図１に示すように、段違い足場台２６の下部を脚部固定部３８に結合する場合には、脚立部材１４ａ、１４ｂの下部に設けた断面矩形状の筒部６０を、先端側スライド要素４６の上部外側に嵌合させた状態で、筒部６０に形成した通孔と、先端側スライド要素４６（図２等参照）の第１調節用孔５４とを整合させる。そして、脚立部材１４ａ、１４ｂの筒部６０に形成した通孔と、第１調節用孔５４とにボルト５２を挿通した状態で、ボルト５２の先端部にナット（図示せず）を結合することにより、脚部固定部３８のそれぞれに、脚立部材１４ａ、１４ｂの脚部下部を取り外し可能に結合している。これにより、作業用足場台付エスカレータを構成している。エスカレータ１１の天井の照明設備等を保守点検する際には、この状態で作業者が段違い足場台２６に乗って作業を行う。
【００３３】
これに対して、エスカレータ１１から段違い足場台２６を取り外す場合には、脚部固定部３８と脚立部材１４ａ、１４ｂとを結合しているボルト５２とナット５８とを取り外す。そして、図３から図５に示すように、脚部固定部３８の全長を小さくし、脚部固定部３８に長さ調節用のボルト５２およびナット５８（図４、図５）を結合した状態で、脚部固定部３８を、支持ピン４２を中心に収納部３６の長さ方向（図２から図４の左右方向）に向くように揺動させ、脚部固定部３８を収納部３６に収納する。
【００３４】
さらに、図３に示すように、収納部３６の上部に踏段板構成カバー６２を装着可能としている。図３は、図４において、収納部３６の上部を踏段板構成カバー６２により塞いだ状態を示すＡ−Ａ断面図であり、図４は、図３において、踏段板構成カバー６２を取り外した状態で上方から見た図であり、図５は図４のＢ−Ｂ断面図である。
【００３５】
図３に示すように、踏段板１２の開口部３４周辺部で支持ピン４２側（図３の右側）において、踏段板１２の下面側に凹部を形成し、踏段板１２の開口部３４周辺部で先端側スライド要素４６の引き出し側（図３の左側）において、踏段板１２の上面側に段部を形成している。そして、踏段板構成カバー６２の長さ方向（図３の左右方向）両端部の、下面側と上面側とに設けた凸部６４，６６を、凹部と段部とに係合させた状態で、収納部３６の上部の開口部３４を、踏段板構成カバー６２により塞いでいる。
【００３６】
また、踏段板１２の開口部３４周辺部に位置する段部上面にねじ孔６８（図４）を形成し、踏段板構成カバー６２（図３）の端部を貫通したビス７０を、ねじ孔６８にねじ結合している。これにより、踏段板１２に踏段板構成カバー６２が固定される。この状態で、踏段板１２と踏段板構成カバー６２との上面は、ほぼ面一、すなわち、単一の仮想平面上にほぼ位置する。また、踏段板構成カバー６２は、踏段板１２を構成する材料と同様の材料により構成している。
【００３７】
このように、本実施の形態では、エスカレータ１１から段違い足場台２６（図１）を取り外した状態で、収納部３６の上部の開口部３４を、踏段板構成カバー６２（図３）により閉塞可能としている。エスカレータ１１の通常の使用時には、乗員が踏段板構成カバー６２に支障なく乗ることができる。また、天井の照明設備等の保守点検等を行うために、エスカレータ１１に段違い足場台２６（図１）を設置する場合には、踏段板構成カバー６２固定用のビス７０（図３）を取り外し、踏段板構成カバー６２を踏段板１２から取り外す。
【００３８】
なお、段違い足場台２６の高さを調節する場合に、まず、脚立部材１４ａ、１４ｂの脚部の下部を脚部固定部３８に、ボルト５２およびナット（図示せず）で結合してから、基端側スライド要素４４から先端側スライド要素４６を引き出す等により、脚部固定部３８の全長を変えることもできる。なお、先端側スライド要素４６に形成する第１調節用孔５４は、３個に限定するものではなく、２個または、４個以上の複数個とすることもできる。
【００３９】
このような本実施の形態の作業用足場台付エスカレータによれば、段違い足場台２６をエスカレータ１１から取り外した状態で、段違い足場台２６を設置する場合に、収納部３６（図２から図５）に予め結合している脚部固定部３８に、脚立部材１４ａ、１４ｂの下部をボルト５２およびナットにより結合すればよく、段違い足場台２６の設置作業を行う毎に踏段板１２に脚部固定部３８を結合する必要がない。また、脚部固定部３８は開口部３４の下側に位置するため、脚部固定部３８を踏段板１２に対し取り外し容易となるように結合する必要がない。このため、脚部固定部３８は、収納部３６に対し、取り外しを容易とするための摩擦力を使用する結合構造ではなく、十分な結合強度を持つ結合構造で結合できる。このため、段違い足場台２６上で作業者が作業する際に、段違い足場台２６を下から補助者が支える必要がなく、しかも、段違い足場台２６が踏段板１２に対しずれるのをより有効に防止できる。
【００４０】
また、特許文献１に記載された段違い脚立をエスカレータに設置する場合と異なり、段違い足場台２６と踏段板１２との結合強度に、踏段板１２に付着したごみ等の異物や油分による結合部分の摩擦力の低下が影響を与えることがない。この結果、段違い足場台２６を使用する作業を一人で容易に行えるとともに、作業時の安全をより有効に確保できる。
【００４１】
また、本実施の形態の作業用足場台付エスカレータによれば、上記の特許文献１に記載された段違い脚立をエスカレータに設置する場合と異なり、段違い足場台２６を踏段板１２に結合する際の大きな結合強度を得るために、大きな摩擦力を得るための押圧機構や大きい固定板および移動板を使用する必要がなく、段違い足場台２６の運搬および設置作業を一人で容易に行える。
【００４２】
また、本実施の形態では、踏段板下側固定部を、脚部固定部３８を収納する収納部３６とし、エスカレータ１１から段違い足場台２６を取り外した状態で、収納部３６の上部の開口部３４を、踏段板構成カバー６２により閉塞可能としている。このため、エスカレータ１１の乗員が踏段板構成カバー６２に乗ることができ、エスカレータ１１の通常の使用が、脚部固定部３８により妨げられることがない。
【００４３】
また、段違い足場台２６は、２本の脚立部材１４ａ、１４ｂの頂部を連結部３０により連結し、２本の脚立部材１４ａ、１４ｂは互いに長さが異なり、２本の脚立部材１４ａ、１４ｂに、人が昇降するための踏み桟１６をそれぞれ設けているので、エスカレータ１１の踏段板１２が段違いとなるのにもかかわらず、作業者が段違い足場台２６上にバランスよく乗ることを容易に行え、より安定して作業を行える。
【００４４】
また、収納部３６を構成する壁板部４０（図５）に支持した支持ピン４２に脚部固定部３８を、支持ピン４２を中心とする揺動可能に支持しているので、脚部固定部３８に段違い足場台２６を結合する場合に、脚部固定部３８を、支持ピン４２を中心として揺動させることにより、脚部固定部３８の向きを、脚部固定部３８に脚立部材１４ａ、１４ｂを結合しやすいように容易に変えることができる。このため、段違い足場台２６をエスカレータ１１により容易に結合できる。また、段違い足場台２６をエスカレータ１１から取り外した状態で、脚部固定部３８を、支持ピン４２を中心として揺動させることにより、脚部固定部３８を開口部３４よりも下側に退避させることができる一方、段違い足場台２６をエスカレータ１１に結合する場合には、脚部固定部３８を揺動させ、開口部３４の上側に突出させることにより、段違い足場台２６を脚部固定部３８に結合しやすくできる。
【００４５】
また、脚部固定部３８を、基端側スライド要素４４と先端側スライド要素４６とにより構成し、基端側スライド要素４４に先端側スライド要素４６を、基端側スライド要素４４に対する摺動可能に支持することにより、脚部固定部３８の全長を伸縮可能としている。このため、エスカレータ１１の通常の使用状態で、収納部３６に脚部固定部３８を収納できるようにし、しかも、エスカレータ１１に段違い足場台２６を結合する場合には、脚部固定部３８の全長を大きくできるので、段違い足場台２６の脚立部材１４ａ、１４ｂの長さを短くできる。このため、段違い足場台２６の運搬作業をより容易に行える。
【００４６】
また、脚部固定部３８を構成する先端側スライド要素４６に長さ調節用の３個の第１調節用孔５４を形成するとともに、基端側スライド要素４４に第２調節用孔５６を形成し、第１調節用孔５４および第２調節用孔５６にボルト５２を挿通した状態で、第１調節用孔５４および第２調節用孔５６からボルト５２が抜け出るのを阻止している。このため、ボルト５２を挿入する第１調節用孔５４の位置を変えることにより、脚部固定部３８の全長が調節可能となる。この結果、段違い足場台２６の脚立部材１４ａ、１４ｂの長さを変えることなく、作業者の作業時の高さ位置を天井部の高さ等に応じて容易に変えることができ、段違い足場台２６上での作業を行いやすくできる。
【００４７】
［第２の発明の実施の形態］
図６は、本発明の第２の実施の形態の作業用足場台付エスカレータの部分略斜視図を示している。図６に示すように、本実施の形態の場合、２本の脚立部材１４ａ、１４ｂの頂部同士を、連結部である略平板状の作業台７２により連結している。作業台７２は、それぞれの脚立部材１４ａ、１４ｂの上部に対し、図示しないピン等の連結部により揺動可能に支持している。
【００４８】
また、本実施の形態の場合も、上記の図２から図５に示した第１の実施の形態と同様に、脚部固定部３８を構成する先端側スライド要素４６の壁板部に長さ調節用の３個ずつの第１調節用孔５４を形成するとともに、基端側スライド要素４４の壁板部に第２調節用孔５６を形成し、第１調節用孔５４および第２調節用孔５６にボルト５２を挿通した状態で、ボルト５２の先端部にナット５８を結合している。このため、ボルト５２を挿入する第１調節用孔５４の位置を変えることにより、脚部固定部３８の全長が調節可能となるとともに、本実施の形態のように、段違い足場台２６の脚立部材１４ａ、１４ｂの頂部同士を略平板状の作業台７２により連結する場合でも、作業台７２の上面を水平にすることを行いやすくなる。このため、作業性の向上を図れる。
その他の構成および作用は、上記の第１の実施の形態と同様であるため、同等部分には同一符号を付して重複する図示ならびに説明を省略する。
【００４９】
なお、図示は省略するが、本発明において、脚部固定部を結合する踏段板下側固定部は、上記の各実施の形態を構成する収納部３６のように箱形に限定するものではなく、例えば、２個ずつの板状部材等でもよい。２個ずつの板状部材に脚部固定部を結合する場合には、例えば、踏段板の開口部周辺部の下側に平行な２個ずつの板状部材を鉛直方向に固定するとともに、板状部材に支持ピンの端部を支持し、支持ピンに対し支持ピンを中心とする揺動可能に脚部固定部の基部を支持する。この場合、板状部材は、壁板部に相当する。また、踏段板の開口部周辺部の下側に、脚部固定部の先端寄り部分を引っ掛けるための係合部を設けることもできる。
【図面の簡単な説明】
【００５０】
【図１】本発明の第１の実施の形態に係る作業用足場台付エスカレータを示す部分斜視図である。
【図２】第１の実施の形態において、脚部固定部から作業用足場台を取り外して、脚部固定部の全長を大きくした状態を示す断面図である。
【図３】同じく脚部固定部を収納部に収納した状態を示す、図４のＡ−Ａ断面図である。
【図４】収納部の上部開口から踏段板構成カバーを取り外した状態で、脚部固定部を収納部に収納した状態を示す、図３の上方から見た図である。
【図５】図４のＢ−Ｂ断面図である。
【図６】本発明の第２の実施の形態に係る作業用足場台付エスカレータを示す部分略斜視図である。
【図７】従来構造の１例において、エスカレータに設置する作業用足場台を示す斜視図である。
【符号の説明】
【００５１】
１０  段違い脚立、１１  エスカレータ、１２  踏段板、１４ａ、１４ｂ  脚立部材、１６  踏み桟、１８  連結棒、２０  脚部固定手段、２２  脚固定部、２４  固定板、２６  段違い足場台、２８  クリートライザ、３０  連結部、３２  連結フレーム、３４  開口部、３６  収納部、３８  脚部固定部、４０  壁板部、４２  支持ピン、４４  基端側スライド要素、４６  先端側スライド要素、４８  外側筒部、５０  内側筒部、５２  ボルト、５４  第１調節用孔、５６  第２調節用孔、５８  ナット、６０  筒部、６２  踏段板構成カバー、６４  凸部、６６  凸部、６８  ねじ孔、７０  ビス、７２  作業台。
【図１】
2008174377.tif 000003
【図２】
2008174377.tif 000004
【図３】
2008174377.tif 000005
【図４】
2008174377.tif 000006
【図５】
2008174377.tif 000007
【図６】
2008174377.tif 000008
【図７】
2008174377.tif 000009